(57)【要約】【課題】忌避しようとする動物に悪影響を与えることなく且つ、自然の生態系を変えることなく、対象の動物を一定のエリアから忌避できる忌避剤の提供および忌避方法の提供。【解決手段】忌避しようとする当該動物自体が忌避する他の動物の排泄物またはその排泄物の匂い物質からなることを特徴とする忌避剤。【選択図】        なし【特許請求の範囲】
【請求項１】
当該動物が忌避する他の動物の排泄物または、その排泄物の匂い物質からなる動物の忌避剤。
【請求項２】
請求項１において、
前記当該動物が犬、猫、狸、猿等の小動物である場合に、前記他の動物がトラ、ライオン、豹、熊、象等の前記小動物に比較して大型の動物であり、その大型動物の尿または糞の匂い物質を主成分とする動物の忌避剤。
【請求項３】
請求項１において、
前記他の動物が、当該動物の天敵であり、その天敵動物の尿または糞の匂い物質を主成分とする動物の忌避剤。
【請求項４】
請求項１〜請求項３のいずれかにおいて、
前記排泄物の匂い物質と同質の匂いを発する、合成剤よりなる動物の忌避剤。
【請求項５】
請求項１〜請求項４のいずれかにおいて、
前記排泄物またはその匂い物質に、粘着剤等の匂い保持剤を混入した動物の忌避剤。
【請求項６】
当該動物が忌避する他の動物の匂い物質を含む、他の動物の毛等の離脱物よりなる動物の忌避剤。
【請求項７】
請求項１〜請求項６のいずれかの忌避剤を、前記当該動物の行動範囲に散布することを特徴とする動物の忌避方法。
【請求項８】
請求項７において、
高速道路または鉄道線路の縁に沿って、前記忌避剤を散布することを特徴とする動物の忌避方法。
【発明の詳細な説明】
【０００１】
【発明の属する技術分野】
本発明は、環境に悪影響を与えることなく、犬や猫，狸，猿或いは鹿等の動物を保護しつつ、一定のエリアからそれらの動物を排除する忌避剤に関する。
【０００２】
【従来の技術】
従来の犬や猫等の忌避剤は、それらの動物が嫌うであろう思われる各種物質を分析し、それと同質の物質を各種方法により化学的に合成または混合するものであった。
【０００３】
【発明が解決しようとする課題】
従来の忌避剤は、忌避される動物に害を与えるおそれがあったり、大量に使用すると環境を損なうおそれがあった。
そこで本発明は、忌避しようとする当該動物自体に害を与えことなく、自然環境にも悪影響を与えることのない動物の忌避剤およびその忌避方法を提供することを課題とする。
【０００４】
【課題を解決するための手段】
請求項１に記載の本発明は、当該動物が忌避する他の動物の排泄物または、その排泄物の匂い物質からなる動物の忌避剤である。
【０００５】
請求項２に記載の本発明は、請求項１において、
前記当該動物が犬、猫、狸、猿等の小動物である場合に、前記他の動物がトラ、ライオン、豹、熊、象等の前記小動物に比較して大型の動物であり、その大型動物の尿または糞の匂い物質を主成分とする動物の忌避剤である。
請求項３に記載の本発明は、請求項１において、
前記他の動物が、当該動物の天敵であり、その天敵動物の尿または糞の匂い物質を主成分とする動物の忌避剤である。
【０００６】
請求項４に記載の本発明は、請求項１〜請求項３のいずれかにおいて、
前記排泄物の匂い物質と同質の匂いを発する、合成剤よりなる動物の忌避剤である。
請求項５に記載の本発明は、請求項１〜請求項４のいずれかにおいて、
前記排泄物またはその匂い物質に、粘着剤等の匂い保持剤を混入した動物の忌避剤である。
請求項６に記載の本発明は、当該動物が忌避する他の動物の匂い物質を含む、他の動物の毛等の離脱物よりなる動物の忌避剤である。
【０００７】
請求項７に記載の本発明は、請求項１〜請求項６のいずれかの忌避剤を、前記当該動物の行動範囲に散布することを特徴とする動物の忌避方法である。。
請求項８に記載の本発明は、請求項７において、
高速道路または鉄道線路の縁に沿って、前記忌避剤を散布することを特徴とする動物の忌避方法である。
【０００８】
【発明の実施の形態】
本発明は、トラの尿を付着させた布を犬，猫，狸，猿，鹿等に近づけたとき、それらの動物が走り去る事実を発見し、その発見に基づいて開発されたものである。
【０００９】
さらに、本発明者は次の実験を行い、本忌避剤が有効であることを確認した。
先ず、トラが飼育されている場所から採取された尿を原液のままスプレーの容器に収納し、犬や猫等の通り道に噴霧した。
犬に対しては電柱等で犬が放尿する高さに噴霧した。また、猫の縄張りの範囲にトラの尿を噴霧器で噴霧した。同様に鹿等の通り道である山道において、木の根元にトラの尿を噴霧した。
すると、噴霧から１週間〜２週間はそれらの動物が全く寄り付かなかった。
トラの尿は強烈な匂いを発するものであるが、１週間〜２週間するとその匂いが殆どなくなった。すると、その後に犬や猫，鹿等が現れるようになった。
【００１０】
また、糞についても同様の効果があることが判った。そしてその糞が乾燥し、匂いを発しなくなると、それらの動物が現れるようになった。
【００１１】
次に、鉄道および高速道路において狸や猿が出没する場所にトラの尿を散布してみた。すると、その場所には狸や猿は現れなくなり、数週間するとまたそれらが現れるようになった。そこで、再度、トラの尿を噴き掛けると再び現れなくなった。
【００１２】
このことから本発明が開発されたものであり、これらの動物は自分が忌避する動物の排泄物を本能的に嗅ぎ分け、それを忌避する行動をとることが判った。
そこで本発明は、当該動物が忌避する他の動物の排泄物またはその排泄物の匂い物質から形成された物質を主成分とする忌避剤を提供するものである。
本発明者の実験によれば、特に、自分の縄張りにマーキングするマーキング動物である犬や猫等は極めて臭覚が良く、それらの動物が恐れる他の動物の尿または糞が有効であることを突き止めた。
【００１３】
次に、ライオンの尿，豹の尿，熊の尿についても同様の実験を行ったところ、これらの猛獣でも前記同様の効果があることが判った。
これらの結果から、排泄物の匂い物質と同質の匂いを発する物質であれば、合成によって作られたものであっても良いことが推認できる。従って本発明は、このような合成剤をも含むものである。
さらに好ましくは、匂いが可能な限り永続的に続くように粘着剤や他の匂い保持剤を混入しても良い。
さらには、合成による忌避剤と天然の尿等の忌避剤とを混合することも可能である。
【００１４】
また、排泄物が付着した土を散布することも有効である。さらには、動物園の飼育場でコンクリート面等の排泄物が付着された場所を洗い流した汚染水を散布することも有効である。
次に動物の表面から抜け落ちた毛等を散布することも有効であると推認できる。その動物の匂いを有するからである。そのような匂いを前記の土や汚染水、糞等から抽出し、それを散布することも有効である。
【００１５】
次に、天然の尿または糞の匂い物質を主成分とする忌避剤は、自然の環境において分解し無害となり、生態系に悪影響を及ぼすおそれがない。
好ましくは、排泄物の匂い物質と同質の匂いを発する合成剤についても、一定期間経過と共に分解するものが好ましい。
【００１６】
【発明の作用・効果】
本発明は、当該動物が忌避する他の動物の排泄物またはその排泄物の匂い物質からなる忌避剤であり、それを当該動物の行動範囲内に散布することより、当該動物を避け、その動物を保護しつつ農作物の害獣被害や道路または鉄道の安全を期すことができる。
【００１７】
上記構成において、動物の尿または糞の匂い物質そのものを主成分とする忌避剤は、自然に消滅し環境に悪影響を残すことがない。
上記構成において、排泄物の匂い物質と同質の匂いを発する合成剤よりなる忌避剤の場合には、忌避剤を大量生産することができ、広いエリヤでの忌避効果を期待できる。
上記構成において、排泄物またはその匂い物質に粘着剤等の匂い保持剤を混入したものについては、より長期間忌避効果がある。
【００１８】
上記忌避剤を動物の行動範囲に散布することを特徴とする動物の忌避方法は、確実に当該動物を所望のエリアから排除することができる。
上記構成において、高速道路または鉄道線路の縁に沿って忌避剤を散布する場合には、車両の通行の安全または電車の通行の安全を確保できる。